(57)【要約】【課題】この発明は、電源コンセントと電源プラグとの間に介在させて両者を電気的に接続することができる変換アダプターの提供を目的とする。【解決手段】変換アダプター１に設けられた一対の栓刃差込孔２４，２４及び一対の端子差込孔２５，２５を、電源プラグＡに突設された一対の栓刃Ａ４，Ａ４及びアース端子Ａ５，Ａ６と対応して配置している。一対の栓刃差込孔２４，２４を、アダプター本体２の径方向Ｒの中心点Ｐを通る第１基準線Ｙ上に配置するとともに、第２基準線Ｔを基準として左右対称に配置している。一対の端子差込孔２５，２５を第２基準線Ｔ上に配置するとともに、第１基準線Ｙを基準として上下対称に配置している。【選択図】図１
2018049723.tif 000002
【特許請求の範囲】
【請求項１】
電源コンセントと電源プラグとの間にアダプター本体を介在させて、該電源コンセントと電源プラグとを電気的に接続する変換アダプターであって、
前記アダプター本体の一端側に、
前記電源コンセントに設けられた一対の栓刃差込孔及び端子差込孔と対応して、該各栓刃差込孔に差込接続される一対の栓刃と、前記端子差込孔に差込接続されるアース端子とが突設され、
前記アダプター本体の他端側に、
前記電源プラグに突設された一対の栓刃及び一対のアース端子と対応して、該各栓刃が差込接続される一対の栓刃差込孔と、該各アース端子が差込接続される一対の端子差込孔とが設けられ、
前記アダプター本体の前記栓刃差込孔が、
該アダプター本体の径方向中心点を通る第１基準線上に配置され、
前記アダプター本体の前記端子差込孔が、
該アダプター本体の径方向中心点を通る前記第１基準線と直交する第２基準線を基準として対称に配置された
変換アダプター。
【請求項２】
前記アダプター本体の一対の前記端子差込孔が、
前記電源プラグに突設された一対の前記アース端子のうち一方の断面略丸形状を有するアース端子と、他方の断面略平角形状を有するアース端子との双方を差込接続することが可能な大きさ及び形状に形成された
請求項１に記載の変換アダプター。
【請求項３】
前記アダプター本体の後端部と、前記プラグ本体の前端部とが対向する対向端部のうち一方の端部に嵌合部が形成され、他方の端部に前記嵌合部と嵌合する被嵌合部が形成された
請求項１又は２に記載の変換アダプター。
【請求項４】
前記被嵌合部と前記嵌合部とが対向する対向壁面のうち一方の壁部に突条部が形成され、他方の壁部に前記突条部と係合する溝部が形成された
請求項３に記載の変換アダプター。
【請求項５】
前記被嵌合部と前記嵌合部とを互いに嵌合した状態において、
前記被嵌合部の両側内壁面と前記嵌合部の両側外壁面との径方向に対向する対向壁面に、前記径方向に当接される平坦な当接部が形成された
請求項３又は４に記載の変換アダプター。
【請求項６】
前記アダプター本体の前端側中央部に、
前記一対の栓刃及び前記アース端子を突設した突出部が該アダプター本体の一端側より前方に向けて突出され、
前記突出部が、
前記電源コンセントの前面に設けられた突出部差込孔に対して挿入可能な大きさ及び形状に形成された
請求項１〜５のいずれか一つに記載の変換アダプター。
【請求項７】
前記アダプター本体の後端側外周部と、前記プラグ本体の前端側外周部とが対向する対向縁部のうち一方の縁部に係止部が形成され、他方の縁部に前記係止部を係止する被係止部が形成された
請求項１〜６のいずれか一つに記載の変換アダプター。
【発明の詳細な説明】
【技術分野】
【０００１】
この発明は、例えば電気自動車、ハイブリッド自動車等の電気推進車両に電力を供給する充電ケーブルの電源プラグを、電源装置の電源コンセントに接続する際に用いられる変換アダプターに関する。
【背景技術】
【０００２】
近年、上述の電気推進車両に電力を供給する設備としては、家庭用充電設備と公共用充電設備との２種類に大きく分類される。利便性を考慮すると、充電ケーブルを用いて家庭用充電設備から電気推進車両へ電力を供給する方が便利であるが、家庭用充電設備の電源コンセントと、充電ケーブルの電源プラグとが対応しない場合、変換用の変換アダプターを用いて接続しなければならない。
【０００３】
上述のような変換アダプターとしては、様々なものが多数提案されており、特許文献１に開示の変換アダプターも、このような変換アダプターの一つである。特許文献１の変換アダプターは、変換アダプターの一端側に突設された一対の栓刃及びアース端子を、電源コンセントに設けられた一対の栓刃差込孔及び端子差込孔に差込接続した後、変換アダプターの他端側に設けられた一対の栓刃差込孔及び端子差込孔に、特許文献２に開示の電源プラグに突設された一対の栓刃及びアース端子を差込接続する。
【０００４】
しかし、電源コンセントの端子差込孔が差込面の下側に配置されている場合、変換アダプターをアース端子が下側となるようにして電源コンセントに差込接続した後、電源プラグをアース端子が下側となるようにして変換アダプターに差込接続することになるが、例えば電源プラグに接続されたケーブルが、アース端子が突設された部分と反対側の外周部に対して、アース端子の突出方向と直交して配索されている場合、電源プラグをアース端子が下側となるようにして変換アダプターに差込接続すると、ケーブルが下方に向けて屈曲されるため、ケーブルの屈曲した部分に配線した電線が断線したり、電線の屈曲した部分に生じる電気的な抵抗が大きくなる。
【０００５】
また、ケーブル自体の重量が重いため、電源プラグに付与される負荷が大きく、電源プラグが変換アダプターから抜け落ちたり、変換アダプターが電源コンセントから抜け落ちたりしやすく、差込接続された状態を保つことが困難である。抜け落ちた際に付与される衝撃によって、電源プラグの栓刃が屈曲したり、折れ曲がったりしやすく、再度差込接続することができなくなる。
【先行技術文献】
【特許文献】
【０００６】
【特許文献１】特許第４２０６１１９号公報
【特許文献２】特開２０１２−１６９１７６号公報
【発明の概要】
【発明が解決しようとする課題】
【０００７】
この発明は、電源コンセントと電源プラグとの間に介在させて両者を電気的に接続することができる変換アダプターを提供することを目的とする。
【課題を解決するための手段】
【０００８】
この発明は、電源コンセントと電源プラグとの間にアダプター本体を介在させて、該電源コンセントと電源プラグとを電気的に接続する変換アダプターであって、前記アダプター本体の一端側に、前記電源コンセントに設けられた一対の栓刃差込孔及び端子差込孔と対応して、該各栓刃差込孔に差込接続される一対の栓刃と、前記端子差込孔に差込接続されるアース端子とを突設し、前記アダプター本体の他端側に、前記電源プラグに突設された一対の栓刃及び一対のアース端子と対応して、該各栓刃が差込接続される一対の栓刃差込孔と、該各アース端子が差込接続される一対の端子差込孔とを設け、前記アダプター本体の前記栓刃差込孔を、該アダプター本体の径方向中心点を通る第１基準線上に配置し、前記アダプター本体の前記端子差込孔を、該アダプター本体の径方向中心点を通る前記第１基準線と直交する第２基準線を基準として対称に配置したことを特徴とする。
【０００９】
この発明によれば、変換アダプターを電源コンセントと電源プラグとの間に介在させることにより両者を確実に接続することができる。  
詳しくは、電源コンセントの端子差込孔が差込面の上側に配置されている場合、変換アダプターをアース端子が上側となるようにして電源コンセントに差込接続するが、電源コンセントの端子差込孔が差込面の下側に配置されている場合には、変換アダプターをアース端子が下側となるようにして電源コンセントに差込接続する。
【００１０】
つまり、変換アダプターをアース端子が上側又は下側となるようにして電源コンセントに差込接続しても、変換アダプターに設けられた一対の栓刃差込孔及び一対の端子差込孔の配置が変わることがないため、電源プラグを上下逆向きとなるように反転することなく電源コンセントに対して差込接続することができる。
【００１１】
この結果、電源コンセントに設けられた一対の栓刃差込孔及び端子差込孔と、電源プラグに突設された一対の栓刃及び一対のアース端子とが対応していなくても、変換アダプターを電源コンセントと電源プラグとの間に介在させることにより、両者を電気的に接続することができる。
【００１２】
しかも、電源プラグに接続されたケーブルが、アース端子を突設した部分と反対側の外周部に対して、アース端子の突出方向と直交して配索されていても、電源コンセントに差込接続された変換アダプターに対して、電源プラグをケーブルが下方に配索されるように差込接続することができる。  
これにより、ケーブル内に配線された電線が断線したり、電線の電気的な抵抗が大きくなることを防止でき、安定した導電性を確保することができる。
【００１３】
さらに、電源プラグやケーブルに付与される負担を軽減することができるため、変換アダプターが電源コンセントから抜け落ちたり、電源プラグが変換アダプターから抜け落ちたりすることを防止できる。  
これにより、電源コンセントと電源プラグとが電気的に接続された状態を保つことができる。
【００１４】
この発明の態様として、前記アダプター本体の一対の前記端子差込孔を、前記電源プラグに突設された一対の前記アース端子のうち一方の断面略丸形状を有するアース端子と、他方の断面略平角形状を有するアース端子との双方を差込接続することが可能な大きさ及び形状に形成してもよい。
【００１５】
この発明によれば、変換アダプターを電源コンセントと電源プラグとの間に介在させることにより両者をより確実に接続することができる。  
詳しくは、変換アダプターをアース端子が上側又は下側となるようにして電源コンセントに差込接続しても、電源プラグに突設された断面略丸形状のアース端子と断面略平角形状のアース端子との双方を、変換アダプターに設けられた一対の端子差込孔に対して差込接続することができる。  
この結果、電源コンセントに差込接続された変換アダプターに対して、電源プラグを上下逆向きとなるように反転することなく確実に接続することができる。
【００１６】
またこの発明の態様として、前記アダプター本体の後端部と、前記プラグ本体の前端部とが対向する対向端部のうち一方の端部に嵌合部を形成し、他方の端部に前記嵌合部と嵌合する被嵌合部を形成してもよい。
【００１７】
この発明によれば、電源プラグを変換アダプターに対して確実に接続することができる。  
詳しくは、例えば電源プラグにおけるプラグ本体の前端部に形成した嵌合部を、変換アダプターにおけるアダプター本体の後端部に形成した被嵌合部に嵌合して、嵌合部と被嵌合部とを互いに合致する状態に固定する。
【００１８】
これにより、電源プラグを変換アダプターに対してガタ付き無く合致した状態に固定することができる。  
この結果、電源プラグに突設された一対の栓刃及び一対のアース端子を、変換アダプターに設けられた一対の栓刃差込孔及び一対の端子差込孔に対して確実に差込接続することができる。
【００１９】
またこの発明の態様として、前記被嵌合部と前記嵌合部とが対向する対向壁面のうち一方の壁部に突条部を形成し、他方の壁部に前記突条部と係合する溝部を形成してもよい。  
この発明によれば、電源プラグを変換アダプターに対して正確に接続することができる。
【００２０】
詳しくは、プラグ本体の嵌合部をアダプター本体の被嵌合部に嵌合する際に、嵌合部と被嵌合部との対向壁面のうち一方の壁面に形成した一対の突条部を、他方の壁部に形成した一対の溝部に係合して、電源プラグと変換アダプターとを互いに嵌合される方向にガイドする。
【００２１】
これにより、電源プラグの嵌合部と変換アダプターの被嵌合部とが軸回りに相対回転したり、電源プラグの栓刃及びアース端子と、変換アダプターの栓刃差込孔及び端子差込孔との差込位置がズレたりすることを確実に防止できる。
【００２２】
この結果、電源プラグに突設された一対の栓刃及び一対のアース端子を、変換アダプターに設けられた一対の栓刃差込孔及び一対の端子差込孔に対して正確に差込接続することができる。
【００２３】
しかも、溝部と突条部との配置が異なる場合、一方の壁部が他方の壁部に形成した突条部に当接し、電源プラグと変換アダプターとの嵌合が阻止されるため、変換アダプターと対応しない不正規の電源プラグが誤って差込接続されることを確実に防止できる。
【００２４】
またこの発明の態様として、前記被嵌合部と前記嵌合部とを互いに嵌合した状態において、前記被嵌合部の両側内壁面と前記嵌合部の両側外壁面との径方向に対向する対向壁面に、前記径方向に当接される平坦な当接部を形成してもよい。
【００２５】
この発明によれば、電源プラグを変換アダプターに対してより正確に接続することができる。  
詳しくは、電源プラグの嵌合部を変換アダプターの被嵌合部に嵌合する際に、嵌合部と被嵌合部との対向壁面に形成した当接部同士を互いに当接して、電源プラグと変換アダプターとを互いに嵌合される方向にガイドする。
【００２６】
これにより、電源プラグの嵌合部と変換アダプターの被嵌合部とが軸回りに相対回転したり、電源プラグの栓刃及びアース端子と、変換アダプターの栓刃差込孔及び端子差込孔との差込位置がズレたりすることをより確実に防止できる。
【００２７】
この結果、電源プラグに突設された一対の栓刃及び一対のアース端子を、変換アダプターに設けられた一対の栓刃差込孔及び一対の端子差込孔に対して真っ直ぐに差し込むことができるとともに、より正確に差込接続することができる。
【００２８】
またこの発明の態様として、前記アダプター本体の前端側中央部に、前記一対の栓刃及び前記アース端子を突設した突出部を該アダプター本体の一端側より前方に向けて突出し、前記突出部を、前記電源コンセントの前面に設けられた突出部差込孔に対して差込可能な大きさ及び形状に形成してもよい。
【００２９】
上述の突出部及び突出部差込孔は、例えば略丸形、略楕円形、略多角形等の形状に形成してもよい。  
この発明によれば、変換アダプターを電源コンセントに対して電気的に安定した状態に接続することができる。
【００３０】
詳しくは、例えば電源プラグを屋外に設置された電源コンセントに差込接続する場合、変換アダプターの前端側中央部に突出した突出部を、電源コンセントの前面に設けられた突出部差込孔に差し込み、変換アダプターを電源コンセントに対して差込接続する。
【００３１】
これにより、例えば雨水等の水分が変換アダプターの一端側と電源コンセントの差込面との間に形成される隙間から浸入しようとしても、突出部差込孔に差し込まれた突出部の外周面に沿って下方へ滴り落ちやすく、電気的に接続された接続箇所に侵入することを防止できる。  
この結果、変換アダプターと電源コンセントとを電気的に接続した接続箇所に、例えば腐食や漏電等が発生することを防止でき、電力を安定して供給することができる。
【００３２】
またこの発明の態様として、前記アダプター本体の後端側外周部と、前記プラグ本体の前端側外周部とが対向する対向縁部のうち一方の縁部に係止部を形成し、他方の縁部に前記係止部が係止される被係止部を形成してもよい。
【００３３】
上述の係止部は、例えば係止爪を有するロックバーやロックレバー等で構成してもよい。また、被係止部は、例えば係止爪を係止する係止孔や係止溝等で構成してもよい。  
この発明によれば、電源プラグを変換アタプターに対してより確実に接続することができる。
【００３４】
詳しくは、電源プラグの嵌合部を変換アダプターの被嵌合部に嵌合して、電源プラグを変換アダプターに対して電気的に差込接続した際に、嵌合部と被嵌合部とが対向する対向縁部のうち―方の縁部に形成した一対の係止部を、他方の縁部に形成した一対の被係止部に係止する。
【００３５】
これにより、電源プラグの嵌合部と変換アダプターの被嵌合部とを嵌合するだけの構造に比べて、嵌合部と被嵌合部とをガタ付き無く合致した状態により強固に固定することができる。  
この結果、電源プラグと変換アダプターとを電気的に接続された状態により確実に保つことができる。
【００３６】
しかも、係止部と被係止部との係止を解除するまでは、電源プラグが変換アダプターから分離されることがなく、電気的な接続が不測に解除されることを防止できる。また、係止部と被係止部との係止を解除するだけで、電源プラグを変換アダプターから簡単に分離することができる。
【００３７】
さらに、変換アダプターをアース端子が上側又は下側となるようにして電源コンセントに差込接続しても、係止部及び被係止部の配置が変わることがないため、電源プラグを上下逆向きとなるように反転することなく変換アダプターに対して確実に差込接続することができる。
【発明の効果】
【００３８】
この発明によれば、変換アダプターを電源コンセントと電源プラグとの間に介在させて両者を電気的に接続することができる。
【図面の簡単な説明】
【００３９】
【図１】本発明の変換アダプターの外観図。
【図２】変換アダプターの前端側及び後端側の外観図。
【図３】図２に示す変換アダプターのＡ−Ａ線矢視断面図。
【図４】図２に示す変換アダプターのＢ−Ｂ線矢視断面図。
【図５】図２に示す変換アダプターのＣ−Ｃ線矢視断面図。
【図６】変換アダプターを電源コンセントに差込接続する際の説明図。
【図７】変換アダプターに電源プラグを差込接続する際の説明図。
【図８】変換アダプターを介して電源プラグを電源コンセントに接続した際の平面図。
【図９】変換アダプターを上下反転せずに差込接続した断面図。
【図１０】変換アダプターを上下反転して差込接続した断面図。
【図１１】変換アダプターの一対の栓刃を差込接続した断面図。
【図１２】変換アダプターのアース端子を差込接続した断面図。
【発明を実施するための形態】
【００４０】
この発明の一実施形態を以下図面に基づいて詳述する。  
図１は本発明における変換アダプター１の外観図であり、詳しくは、図１（ａ）は変換アダプター１を右側斜め前方から見た斜視図、図１（ｂ）は変換アダプター１を左側斜め後方から見た斜視図である。
【００４１】
図２は変換アダプター１の前端側及び後端側の外観図であり、図２（ａ）は変換アダプター１を前方から見た正面図、図２（ｂ）は変換アダプター１を後方から見た背面図である。図３は図２に示す変換アダプター１のＡ−Ａ線矢視断面図、図４は図２に示す変換アダプター１のＢ−Ｂ線矢視断面図、図５は図２に示す変換アダプター１のＣ−Ｃ線矢視断面図である。
【００４２】
図６は変換アダプター１を電源コンセントＢに差込接続する際の説明図、図７は変換アダプター１に電源プラグＡを差込接続する際の説明図、図８は変換アダプター１を介して電源プラグＡを電源コンセントＢに接続した際の平面図である。
【００４３】
図９は変換アダプター１を上下反転せずに電源コンセントＢに差込接続した断面図、図１０は変換アダプター１を上下反転して電源コンセントＢに差込接続した断面図、図１１は変換アダプター１の一対の栓刃２１を電源コンセントＢに差込接続した断面図、図１２は変換アダプター１のアース端子２２を電源コンセントＢに差込接続した断面図である。
【００４４】
なお、以下の説明における長手方向Ｌとは、変換アダプター１の長手方向と一致する方向であり、径方向Ｒとは、長手方向Ｌに対して垂直な面と平行する断面方向である。また、電源コンセントＢに差込接続される側を前端側とし、電源プラグＡが差込接続される側を後端側としている。
【００４５】
本発明の変換アダプター１は、電源プラグＡに突設された一対の栓刃Ａ４，Ａ４及びアース端子Ａ５，Ａ６と、電源コンセントＢに設けられた一対の栓刃差込孔Ｂ１，Ｂ１及び端子差込孔Ｂ２とが対応していない場合に、電源プラグＡと電源コンセントＢとの間に介在させて両者を電気的に接続する（図１〜図７参照）。
【００４６】
電源プラグＡは、プラグ本体Ａａと、ケーブルＡｂとで構成される４ピン型のプラグである。プラグ本体Ａａにおける前端面の中央部には、断面略平角形状を有する一対の栓刃Ａ４，Ａ４を突設している（図７参照）。
【００４７】
プラグ本体Ａａにおける前端面の上側中央部には、断面略丸形状のアース端子Ａ５を突設している。プラグ本体Ａａにおける前端面の下側中央部には、断面略平角形状のアース端子Ａ６を突設している。ケーブルＡｂは、プラグ本体Ａａにおけるアース端子Ａ５を突設した部分と反対側の外周部に対して、アース端子Ａ５の突出方向と直交して接続している（図７参照）。
【００４８】
電源コンセントＢは、図示しない３ピン型の電源プラグを差込接続するためのコンセントである。電源コンセントＢの差込面には、変換アダプター１の前端面に突設された一対の栓刃２１，２１が電気的に差込接続される一対の栓刃差込孔Ｂ１，１Ｂと、アース端子２２が電気的に差込接続される端子差込孔Ｂ２を設けている（図６参照）。
【００４９】
上述の変換アダプター１は、略円柱状に形成されたアダプター本体２を、一対の栓刃２１，２１及び１つのアース端子２２が前端面に突設された前側の中子３と、一対の栓刃差込孔２４，２４及び一対の端子差込孔２５，２５が後端面に形成された後側の中子４と、中子３，４の外周を覆う外皮５とで構成している（図１〜図５参照）。
【００５０】
一対の栓刃２１，２１及び１つのアース端子２２は、図６に示す電源コンセントＢの差込面に設けられた一対の栓刃差込孔Ｂ１，１Ｂ及び１つの端子差込孔Ｂ２と対応して、アダプター本体２における中子３の前端面に対して長手方向Ｌに向けて突設している（図２〜図５参照）。
【００５１】
一対の栓刃差込孔２４，２４及び一対の端子差込孔２５，２５は、図７に示す電源プラグＡの前端面に突設された一対の栓刃Ａ４，Ａ４及びアース端子Ａ５，Ａ６と対応して、アダプター本体２における中子４の後端面に対して長手方向Ｌに向けて形成している（図２〜図５参照）。
【００５２】
中子３，４はメラミン樹脂で形成され、互いに合致する大きさ及び形状に形成している。外皮５は塩化ビニルで形成され、２本のねじ部材６により固定された中子３，４同士の外周全体を覆うように形成している。中子３の前端側中央部は外皮５より前方に向けて露出している。中子４の後端側は外皮５より後方に向けて露出している（図２〜図５参照）。
【００５３】
一対の栓刃２１，２１は、図６に示す電源コンセントＢの差込面に設けられた一対の栓刃差込孔Ｂ１，Ｂ１と対応する間隔を隔てて、中子３における径方向Ｒの中心点Ｐより下方の前端面に配置している。アース端子２２は、電源コンセントＢに設けられた端子差込孔Ｂ２と対応して、中子３における径方向Ｒの中心点Ｐより上方の前端面の中央部に配置している（図２（ａ）参照）。
【００５４】
一対の栓刃差込孔２４，２４は、図７に示す電源プラグＡの前端面に突設された一対の栓刃Ａ４，Ａ４と対応する間隔を隔てて、中子４における径方向Ｒの中心点Ｐを通る水平な第１基準線Ｙ上に配置するとともに、中子４における径方向Ｒの中心点Ｐを通る第１基準線Ｙと直交する垂直な第２基準線Ｔを基準として左右対称に配置している（図２（ｂ）参照）。
【００５５】
一対の端子差込孔２５，２５は、図７に示す電源プラグＡの前端面に突設された一対のアース端子Ａ５，Ａ６と対応する間隔を隔てて、中子４における径方向Ｒの中心点Ｐを通る垂直な第２基準線Ｔ上に配置するとともに、中子４における径方向Ｒの中心点Ｐを通る第２基準線Ｔと直交する第１基準線Ｙを基準として上下対称に配置している（図２（ｂ）参照）。
【００５６】
端子差込孔２５，２５の差込構造は上下対称であるため、一方の端子差込孔２５の差込構造について説明する。端子差込孔２５は、アース端子Ａ５，Ａ６の双方を差し込むことが可能な大きさ及び形状に形成している（図２（ｂ）参照）。
【００５７】
端子差込孔２５における中子４の中心点Ｐに近い部分は、アース端子Ａ６を差込可能な大きさ及び形状に形成している。端子差込孔２５における中子４の中心点Ｐより遠い部分は、アース端子Ａ５を差込可能な大きさ及び形状に形成している。端子差込孔２５のアース端子Ａ５が差し込まれる部分と、アース端子Ａ６が差し込まれる部分とは径方向Ｒに連続している（図２（ｂ）参照）。
【００５８】
栓刃差込孔２４と対応する中子３の内部には、電源プラグＡの栓刃Ａ４を接続することが可能な栓刃受け金具２６を、一対の栓刃差込孔２４，２４と対向して左右対称に配置している。一対の栓刃受け金具２６，２６は、中子３の内部に挿入された栓刃２１，２１の基端に対してそれぞれ導電可能に接続している（図３参照）。
【００５９】
端子差込孔２５と対応する中子３の内部には、電源プラグＡのアース端子Ａ５，Ａ６の双方を接続することが可能な端子受け金具２７を、一対の端子差込孔２５，２５と対向して上下対称に配置している（図４、図５参照）。
【００６０】
一対の端子受け金具２７は、アース端子Ａ５，Ａ６の双方を接続することが可能な大きさ及び形状に形成している。端子受け金具２７，２７同士は基端に形成された連結板２７ａで一体に連結している。連結板２７ａは、中子３の内部に挿入されたアース端子２２の基端に対して導電可能に接続している（図４、図５参照）。
【００６１】
変換アダプター１におけるアダプター本体２の後端部には、図７に示す電源プラグＡにおけるプラグ本体Ａａの前端部に形成された嵌合部Ａ７と対応して、嵌合部Ａ７と嵌合する略円筒状の被嵌合部２８を形成している。被嵌合部２８は嵌合部Ａ７と合致する大きさ及び形状に形成している（図１（ｂ）、図２、図３参照）。
【００６２】
被嵌合部２８の径方向Ｒに対向する両側内壁面には、嵌合部Ａ７の径方向Ｒに対向する両側外壁面に形成された一対の溝部Ａ８と対応して、溝部Ａ８と係合する一対の突条部２９を径方向Ｒ内側に向けて突出するとともに、突条部２９を長手方向Ｌと平行して形成している。
【００６３】
一対の突条部２９は、嵌合部Ａ７に形成されたアダプター本体２の径方向Ｒの中心点Ｐを通る第１基準線Ｙ上に配置するとともに、アダプター本体２の径方向Ｒの中心点Ｐを通る第２基準線Ｔを基準として左右対称に配置している。
【００６４】
被嵌合部２８の突条部２９を形成した両側内壁面には、嵌合部Ａ７の両側外壁面に形成された略平坦な外壁側当接部Ａ９と対応して、外壁側当接部Ａ９に対して径方向Ｒに当接される略平坦な内壁側当接部３０を形成している。
【００６５】
アダプター本体２の前端側中央部には、図６及び図８に示す電源コンセントＢの前面に設けられた略丸形状の突出部差込孔Ｂ３と対応して、突出部差込孔Ｂ３に対して差込可能な突出部３１をアダプター本体２の前端面より前方に向けて突出している。  
突出部３１は、突出部差込孔Ｂ３と対応して前方から見て略丸形状に形成している。突出部３１の前端面には一対の栓刃２１，２１及びアース端子２２を突設している（図１（ａ）、図２〜図５参照）。
【００６６】
アダプター本体２の後端側外周部には、図８及び図９に示す電源プラグＡにおけるプラグ本体Ａａの前端側外周部に形成された一対の凹部Ａ３と対応して、凹部Ａ３に係止される一対のロックバー３２を枢着している。  
一対のロックバー３２は第２基準線Ｔ上に配置するとともに、第１基準線Ｙを基準として上下対称に配置している（図１（ｂ）、図２、図４参照）。
【００６７】
ロックバー３２の先端側には、プラグ本体Ａａの凹部Ａ３に対して係止される爪部３２ａを形成している。ロックバー３２の基端側に装填したコイルスプリング３３は、凹部Ａ３に対して爪部３２ａが係止される方向にロックバー３２を回動付勢している（図４中の実線で示す状態）。
【００６８】
上述の変換アダプター１を電源プラグＡと電源コンセントＢとの間に介在させて両者を電気的に接続する際の接続方法について説明する。  
適宜設置部に設置された電源コンセントＢの端子差込孔Ｂ２が差込面の上側に配置されている場合、変換アダプター１をアース端子２２が上側となるようにして電源コンセントＢに差込接続する（図６〜図９参照）。
【００６９】
電源コンセントＢの端子差込孔Ｂ２が差込面の下側に配置されている場合には、変換アダプター１をアース端子２２が下側となるようにして電源コンセントＢに差込接続する（図１０参照）。
【００７０】
これにより、変換アダプター１に突設された一対の栓刃２１及びアース端子２２を、電源コンセントＢに設けられた一対の栓刃差込孔Ｂ１及び端子差込孔Ｂ２に対して電気的に差込接続することができる。
【００７１】
変換アダプター１を電源コンセントＢに差込接続する際に、変換アダプター１に突出された突出部３１を、電源コンセントＢの前面に設けられた突出部差込孔Ｂ３に差し込む（図９、図１０参照）。
【００７２】
電源プラグＡを変換アダプター１に差込接続する際に、一対のロックバー３２をコイルスプリング３３に抗して係止解除方向（図９中の二点鎖線で示す状態）へ回動しながら、電源プラグＡの嵌合部Ａ７を変換アダプター１の被嵌合部２８に嵌合する。
【００７３】
変換アダプター１の被嵌合部２８に形成した一対の突条部２９を、電源プラグＡの嵌合部Ａ７に形成した一対の溝部Ａ８に係合するとともに、被嵌合部２８に形成した一対の当接部３０と、嵌合部Ａ７に形成した一対の当接部Ａ９とを互いに当接して、電源プラグＡと変換アダプター１とを互いに嵌合される長手方向Ｌに向けてガイドする。
【００７４】
電源プラグＡの嵌合部Ａ７を変換アダプター１の被嵌合部２８に嵌合した際に、一対のロックバー３２がコイルスプリング３３の付勢力により係止方向へ回動されるとともに、ロックバー３２の爪部３２ａが、電源プラグＡの凹部Ａ３に係止される（図９中の実線で示す状態）。
【００７５】
上述の変換アダプター１をアース端子２２が上側又は下側となるようにして電源コンセントＢに差込接続しても、変換アダプター１に設けられた一対の栓刃差込孔２４及び一対の端子差込孔２５の配置が変わることがない。
【００７６】
つまり、一対の栓刃差込孔２４を、第２基準線Ｔを基準として左右対称に配置し、一対の端子差込孔２５を、第１基準線Ｙを基準として上下対称に配置しているため、電源コンセントＢの端子差込孔Ｂ２が差込面の下側に配置されていても、電源プラグＡをケーブルＡｂが上方に配索されるように上下逆向きとなるように反転する必要がない。
【００７７】
この結果、電源コンセントＢに設けられた一対の栓刃差込孔Ｂ１，Ｂ１及び端子差込孔Ｂ２と、電源プラグＡに突設された一対の栓刃Ａ４，Ａ４及びアース端子Ａ５，Ａ６とが対応していなくても、変換アダプター１を電源プラグＡと電源コンセントＢとの間に介在させることにより、電源プラグＡと電源コンセントＢとの両者を電気的に接続することができる。
【００７８】
しかも、電源コンセントＢに差込接続された変換アダプター１に対して、電源プラグＡをケーブルＡｂが下方に配索されるように差込接続することができるため、電源プラグＡのケーブルＡｂ内に配線された図示しない電線が断線したり、電線の電気的な抵抗が大きくなることを防止でき、安定した導電性を確保することができる。
【００７９】
さらに、電源プラグＡやケーブルＡｂに付与される負担を軽減することができるため、変換アダプター１が電源コンセントＢから抜け落ちたり、電源プラグＡが変換アダプター１から抜け落ちたりすることを防止できる。  
これにより、電源プラグＡと電源コンセントＢとが電気的に接続された状態を保つことができる。
【００８０】
さらにまた、電源プラグＡを変換アダプター１に差込接続する際に、被嵌合部２８に形成した一対の突条部２９を、嵌合部Ａ７に形成した一対の溝部Ａ８に係合するとともに、被嵌合部２８に形成した一対の当接部３０と、嵌合部Ａ７に形成した一対の当接部Ａ９とを互いに当接する。
【００８１】
これにより、電源プラグＡの嵌合部Ａ７と変換アダプター１の被嵌合部２８とが軸回りに相対回転したり、電源プラグＡに突設された一対の栓刃Ａ４，Ａ４及びアース端子Ａ５，Ａ６と、変換アダプター１に設けられた一対の栓刃差込孔２４，２４及び一対の端子差込孔２５，２５との差込位置がズレたりすることを確実に防止できる。
【００８２】
この結果、電源プラグＡに突設された一対の栓刃Ａ４，Ａ４及びアース端子Ａ５，Ａ６を、変換アダプター１に設けられた一対の栓刃差込孔２４，２４及び一対の端子差込孔２５，２５に対して真っ直ぐに差し込むことができるとともに、より正確に差込接続することができる。
【００８３】
さらにまた、被嵌合部２８の突条部２９と嵌合部Ａ７の溝部Ａ８との配置が異なる場合、被嵌合部２８の突条部２９に嵌合部Ａ７の周壁部が当接し、電源プラグＡと変換アダプター１との嵌合が阻止されるため、変換アダプター１と対応しない不正規の電源プラグＡが誤って差込接続されることを確実に防止でき、正規の電源プラグＡを確実に差込接続することができる。
【００８４】
さらにまた、電源プラグＡの嵌合部Ａ７を変換アダプター１の被嵌合部２８に嵌合した際に、変換アダプター１に取り付けたロックバー３２の爪部３２ａが、電源プラグＡに形成した上下の凹部Ａ３に係止される。
【００８５】
これにより、電源プラグＡの嵌合部Ａ７を変換アダプター１の被嵌合部２８に嵌合するだけの構造に比べて、電源プラグＡと変換アダプター１とをガタ付き無く合致した状態により強固に固定することができる。  
この結果、電源プラグＡと変換アダプター１とを電気的に接続された状態により確実に保つことができる。
【００８６】
一対のロックバー３２を係止解除方向へ回動して、電源プラグＡの凹部Ａ３に対するロックバー３２の爪部３２ａの係止を解除するまでは、電源プラグＡが変換アダプター１から分離されることがなく、電気的な接続が不測に解除されることを防止できる。また、電源プラグＡの凹部Ａ３に対するロックバー３２の爪部３２ａの係止を解除するだけで、電源プラグＡを変換アダプター１から簡単に分離することができる。
【００８７】
さらにまた、変換アダプター１をアース端子２２が上側又は下側となるように反転しても、変換アダプター１に枢着された一対のロックバー３２と、電源プラグＡに形成された一対の凹部Ａ３の配置が変わることがないため、電源プラグＡを上下逆向きとなるように反転することなく変換アダプター１に対して確実に差込接続することができる。
【００８８】
さらにまた、変換アダプター１の前端側中央部に突出された突出部３１を、電源コンセントＢの前面に設けられた突出部差込孔Ｂ３に差し込み、変換アダプター１を電源コンセントＢに差込接続する。
【００８９】
これにより、電源プラグＡを屋外に設置された電源コンセントＢに差込接続する際に、雨水等の水分が変換アダプター１の前端面と電源コンセントＢの差込面との間に形成される隙間から浸入しようとしても、突出部差込孔Ｂ３に差し込まれた突出部３１の外周面に沿って下方へ滴り落ちやすく、差込接続された箇所に侵入することを防止できる。  
この結果、変換アダプター１と電源コンセントＢとの接続箇所に、例えば腐食や漏電等が発生することを防止でき、電力を安定して供給することができる。
【００９０】
この発明の構成と、前記実施形態との対応において、  
この発明の係止部は、実施形態のロックバー３２に対応し、  
以下同様に、  
被係止部は、凹部Ａ３に対応するも、  
この発明は、上述の実施形態の構成のみに限定されるものではなく、請求項に示される技術思想に基づいて応用することができ、多くの実施の形態を得ることができる。
【００９１】
上述の実施例では、Ｌ型の電源プラグＡを電源コンセントＢに差込接続する接続方法について説明したが、本発明の変換アダプター１は、Ｌ型以外の電源プラグＡを電源コンセントＢに差込接続する際にも用いることができる。
【符号の説明】
【００９２】
Ｌ…長手方向
Ｒ…径方向
Ｐ…中心点
Ｙ…第１基準線
Ｔ…第２基準線
Ａ…電源プラグ
Ａａ…プラグ本体
Ａｂ…ケーブル
Ａ３…凹部
Ａ４…栓刃
Ａ５，Ａ６…アース端子
Ａ７…嵌合部
Ａ８…溝部
Ａ９…外壁側当接部
Ｂ…電源コンセント
Ｂ１…栓刃差込孔
Ｂ２…端子差込孔
Ｂ３…突出部差込孔
１…変換アダプター
２…アダプター本体
３，４…中子
５…外皮
６…ねじ部材
２１…栓刃
２２…アース端子
２４…栓刃差込孔
２５…端子差込孔
２６…栓刃受け金具
２７…端子受け金具
２８…被嵌合部
２９…突条部
３０…内壁側当接部
３１…突出部
３２…ロックバー
３２ａ…爪部
３３…コイルスプリング
【図１】
2018049723.tif 000003
【図２】
2018049723.tif 000004
【図３】
2018049723.tif 000005
【図４】
2018049723.tif 000006
【図５】
2018049723.tif 000007
【図６】
2018049723.tif 000008
【図７】
2018049723.tif 000009
【図８】
2018049723.tif 000010
【図９】
2018049723.tif 000011
【図１０】
2018049723.tif 000012
【図１１】
2018049723.tif 000013
【図１２】
2018049723.tif 000014